(57)【要約】【課題】  簡素な構成で安価としフォークリフトのフォークに対して簡便かつ迅速に着脱自在とするフォークリフト用の除雪バケットを提供することを課題とする。【解決手段】  底板２と側板３および背板４から成るバケット本体の底板２の裏面にフォークＦ１差込用の樋状ケース５を備え、底板２にフォークＦ１の先端を貫通させる孔部６を設けると共に、フォークリフト用除雪バケット１とフォークＦ１の基部との間に架設自在とする一定長さの紐部材７を備えフォークリフト用除雪バケット１を構成する。【選択図】図１
0003134182.tif 000002
【実用新案登録請求の範囲】
【請求項１】
フォークリフトのフォークに対して着脱自在とした除雪作業用のバケットであって、
底板と側板および背板から成るバケット本体の底板裏面にフォーク差込用の樋状ケースを備え、底板にフォーク先端を貫通させる孔部を設けると共に、バケットとフォーク基部との間に架設自在とする一定長さの紐部材を備えたものであるフォークリフト用除雪バケット。
【請求項２】
底板に設ける孔部は底板の後方寄りに配置し、樋状ケースの船底部は底板の孔部に対向する部位以後を開放したものである請求項１に記載のフォークリフト用除雪バケット。
【請求項３】
一定長さの紐部材の長さは、フォーク先端が孔部の直下に位置した際の長さを最大長さとするものである請求項１または請求項２のいずれかに記載のフォークリフト用除雪バケット。
【請求項４】
バケット本体の背板には、フォークリフトのタワー部材と当接するコイルスプリングを備えたものである請求項１乃至請求項３のいずれかに記載のフォークリフト用除雪バケット。
【請求項５】
底板の裏面で樋状ケースの天井面となる部分に滑り板を備えたものである請求項１乃至請求項３のいずれかに記載のフォークリフト用除雪バケット。
【考案の詳細な説明】
【技術分野】
【０００１】  本考案はフォークリフトやフォークローダーなどフォークを備えた荷役あるいは建設車両等のフォークに対して着脱自在とした除雪作業用のバケットに関するものである。
詳しくは、これらフォークを備えた荷役あるいは建設車両等において、物品やパレットなどを持ち上げたり運搬するために使用されているフォークを利用して、更に除雪作業を行なうことを可能とするものであり、簡素な構成でフォークに対して簡便かつ迅速に着脱自在とする除雪作業用のバケットの構造に関するものである。
【背景技術】
【０００２】  フォークリフトやフォークローダーなどフォークを備えた荷役あるいは建設車両等については、そもそも本来的には専ら物品やパレットなどを持ち上げたり運搬するために使用するものではあるが、その運動性能や荷役運搬性能など機動性を活かして他の様々な作業を可能とするアタッチメント類が種々考案され使用されており、除雪作業用のバケットもその一つである。
下記の特許文献はフォークリフトやフォークローダーなどのフォークを利用した除雪用バケットの幾つかの例である。【０００３】
【特許文献１】  特開２００３−１９３４４５号公報
【特許文献２】  特開２００３−１６５６９８号公報
【特許文献３】  特開２００２−３２６７９６号公報
【考案の開示】
【考案が解決しようとする課題】
【０００４】  しかしながら、従来より提案されてきたこのようなフォークリフト用の除雪バケットにあっては、確かにフォークを利用して除雪作業が可能となるものではあるが、その構造が複雑で製品単価や製造コストが高いものであったり、着脱の際の作業が難しかったり煩雑であったりすることから、予てより改善が切に求められていた。【０００５】  本考案はこのような従来の技術に着目してなされたものであり、簡素な構成で安価としフォークに対して簡便かつ迅速に着脱自在とするフォークリフト用の除雪バケットを提供することを課題とするものである。
【課題を解決するための手段】
【０００６】  上記のような課題を解決するために、本考案のフォークリフト用除雪バケットは底板と側板および背板から成るバケット本体の底板裏面にフォーク差込用の樋状ケースを備え、底板にフォーク先端を貫通させる孔部を設けると共に、バケットとフォーク基部との間に架設自在とする一定長さの紐部材を備えることを基本とするものである
また、底板に設ける孔部は底板の後方寄りに配置し、樋状ケースの船底部は底板の孔部に対向する部位以後を開放したものとするほか、一定長さの紐部材の長さはフォーク先端が孔部の直下に位置した際の長さを最大長さとするものである。
更には、バケット本体の背板にはフォークリフトのタワー部材と当接するコイルスプリングを備えるほか、底板の裏面で樋状ケースの天井面となる部分に滑り板を備えるものである。
【考案の効果】
【０００７】  本考案のフォークリフト用除雪バケットは、このような構成としたことにより構成が極めて簡素となり製造コストや製品単価を格段に低いものとすることができると共に、フォークに対して極めて簡便かつ迅速に着脱自在とすることができるものである。
【考案を実施するための最良の形態】
【０００８】
【実施例】
【０００９】  本考案の実施例を以下、図面に基づいて説明する。尚、各図において共通する部分には同一の符号を付し重複する説明は省略する。
図１（ａ）および（ｂ）は本考案の実施例を示す斜め上方向および斜め下方向から見た概略斜視図であり、フォークリフト用除雪バケット１は底板２と側板３および背板４から成るバケット本体の底板２の裏面にフォークＦ１差込用の樋状ケース５を備え、底板２にフォークＦ１先端を貫通させる孔部６を設けると共に、フォークリフト用除雪バケット１とフォークＦ１の基部との間に架設自在とする一定長さの紐部材７を備えたものである。【００１０】  底板２に設けた孔部６は底板２の後方寄りに配置しており、樋状ケース５の船底部５ａは底板２の孔部６に対向する部位以後を開放したものとなっている。尚、これらの構造はフォークリフト用除雪バケット１の排雪のための傾倒動作を容易あるいは可能とするための構造であり、詳細は後述する。また、紐部材７は本実施例では金属チェーンを用いていおり、その取付け部位や長さについては後述する。【００１１】  図２、図３、図４は、それぞれ図１に示すフォークリフト用除雪バケット１の使用状態を説明する概略側面図であり、これらの図に基づき順を追って構成および使用状態を説明する。尚、図２、図３、図４に示すフォークリフト用除雪バケット１およびフォークリフトＦは簡略化した図であり、適宜に一部を断面図あるいは外観図としたものである。【００１２】  図２（ａ）（ｂ）（ｃ）はフォークリフト用除雪バケット１をフォークリフトＦのフォークＦ１に装着する際の手順を示すものである。
先ず図２（ａ）に示すようにフォークリフト用除雪バケット１を地上に置き、その背後にフォークリフトＦを配置する。
次いで図２（ｂ）に示すようにフォークリフトＦを前進させフォークＦ１をフォークリフト用除雪バケット１の樋状ケース５の内部に差込む。
そして、図２（ｃ）に示すようにフォークリフト用除雪バケット１とフォークＦ１の基部との間に金属チェーン７を弛ませた状態で架設し除雪作業可能状態とする。
尚、金属チェーン７の取付けについては種々公知の構成が適用でき、例えば樋状ケース５の側面部５ｂおよびフォークＦ１の基部にアイボルトなどを適宜に備える構成が好適である。
このように、本考案のフォークリフト用除雪バケット１は極めて簡単な作業にてフォークＦ１に装着することができるものであり、また、取外しについては金属チェーン７を取外してフォークリフトＦを後退するだけの簡単な操作で取外すことができるものである。【００１３】  図３（ａ）（ａ′）（ｂ）（ｂ′）はフォークリフトＦに装着したフォークリフト用除雪バケット１の排雪動作を示すものである。
先ず図３（ａ）に示すようにフォークリフト用除雪バケット１を地上に置いた状態にしてフォークリフトＦを後退させフォークＦ１を樋状ケース５から抜出す動作を行なう。この際にフォークリフト用除雪バケット１とフォークＦ１の基部との間に弛ませた状態で架設されていた金属チェーン７が引張り伸ばされて最大長さとなるため、フォークリフト用除雪バケット１とフォークリフトＦは一定の距離以上には離れない。このように金属チェーン７が最大長さとなった状態でのフォークＦ１の先端は、図３（ａ′）に示すようにバケット本体の底板２に設けた孔部６の直下に位置することとなる。
次いで図３（ｂ）に示すようにフォークＦ１を上昇させると、図３（ｂ′）に示すようにフォークＦ１の先端は孔部６を貫通してフォークリフト用除雪バケット１を持ち上げることとなり、フォークリフト用除雪バケット１の自重およびバケット本体内の雪の重さによりフォークリフト用除雪バケット１は孔部６を中心として前方に傾倒し、バケット本体内の雪を落下させて排雪することができる。【００１４】  尚、金属チェーン７の取付け部位や長さは本実施例に限るものではなく、フォークリフト用除雪バケットの形状・寸法や使用するフォークリフトおよびフォークの形状・寸法などにより様々に考えられるが、上記の各状態を満足する部位および最大長さとすることが基本的に必要であり、更には、フォークリフト用除雪バケット１の傾倒を妨げず、また、フォークリフト用除雪バケット１のフォークＦ１からの脱落を防止できる部位や長さとすることが好適である。
また、底板２に設ける孔部６の位置も本実施例のように底板２の後方寄りに限るものではなく、フォークリフト用除雪バケットの形状・寸法・重心位置などにより例えば底板２の中央付近など様々に考えられるが、確実にフォークリフト用除雪バケット１が傾倒する位置を選定することが基本的に必要であり、概ね底板２の後方寄りに配置することが好適である。
そして、樋状ケース５の船底部５ａはフォークリフト用除雪バケット１の傾倒を妨げないように底板２の孔部６に対向する部位以後を開放したものとなっているが、本実施例に限るものではなくフォークリフト用除雪バケットの形状・寸法などにより例えば全部開放して側面部５ｂのみが地面と接触するようにしたり、あるいは必要に応じて前方の一部にのみ船底部５ａを形成するなど様々な形態や除雪作業の条件などに応じて形成することが好適である。
このように、本考案のフォークリフト用除雪バケット１は極めて簡単な操作にて容易に確実に排雪を行なうことができるものである。また、排雪動作の後に除雪作業可能状態へと復帰するには図３（ｂ）の状態からフォークＦ１を下降させながらフォークリフトＦを後退させることにより図３（ａ）の状態とし、次いでフォークリフトＦを前進させるだけで復帰することができるものである。更に、本考案のフォークリフト用除雪バケット１は上記のような排雪動作および復帰動作について、他に一切の動力や手作業を必要としないものである。【００１５】  図４（ａ）（ｂ）（ｃ）（ｄ）はフォークリフトＦに装着したフォークリフト用除雪バケット１の他の排雪動作を示すものである。
先ず図４（ａ）に示す除雪作業可能状態からフォークＦ１を適宜の位置まで上昇させて図４（ｂ）に示すような状態とする。
次いで図４（ｃ）に示すようにフォークリフトＦのタワー部材Ｆ２を傾斜させ、前方が低くなるようにフォークＦ１を傾斜させる。
すると、フォークリフト用除雪バケット１は自重およびバケット本体内の雪の重さにより前方へ滑り出して移動し、やがて金属チェーン７が最大長さとなり底板２の孔部６の直下にフォークＦ１の先端が位置すると、フォークＦ１の先端が孔部６を貫通すると共にフォークリフト用除雪バケット１は孔部６を中心として前方に傾倒し、バケット本体内の雪を落下させて排雪することができる。尚、除雪作業可能状態への復帰については先の実施例と同様であり説明を省略する。
このような排雪動作についても、本考案のフォークリフト用除雪バケット１は他に一切の動力や手作業を必要としないものである。【００１６】  図５は本考案の他の実施例を示す概略断面図であり、フォークリフト用除雪バケット８は背板４にコイルスプリング９を備え、更に、底板２の裏面で樋状ケース５内の天井面となる部分に樹脂製の滑り板１０を備えたものとなっている。
このフォークリフト用除雪バケット８は、先に図４にて説明したフォークＦ１を傾斜させる排雪動作を円滑に行うためのものである。
即ち、背板４に備えたコイルスプリング９はフォークリフトＦのタワー部材Ｆ２に当接するものであり、フォークリフト用除雪バケット８をフォークＦに装着する際や除雪作業中には衝撃を吸収するほか、除雪作業可能状態においては圧縮された状態となっておりフォークＦ１を傾斜させた際にフォークリフト用除雪バケット８を前方に付勢し滑り移動を助勢することにより排雪動作を円滑にするものである。
また、滑り板１０はフォークＦ１を傾斜させた際にフォークＦ１に載置されたフォークリフト用除雪バケット８が前方に滑り易くして排雪動作を円滑にするものである。【００１７】  尚、本考案のフォークリフト用除雪バケットにおいては、バケット本体や樋状ケースの形状は上記の実施例のようなものに限らず様々なものが考えられるほか、紐部材や滑り板なども種々の種類や素材を用いることが可能であり、使用条件や利用機材の状況に応じて適宜に設定・選択することが好ましいものである。
【産業上の利用可能性】
【００１８】
【００１９】  本考案のフォークリフト用除雪バケットは以上の説明の如き内容のものであり、構成が極めて簡素であり製造コストや製品単価を格段に低いものとすることができると共に、フォークに対して極めて簡便かつ迅速に着脱自在とすることができるものである。
また、フォークに対する着脱はもとより除雪作業および排雪動作の全てにおいて、フォークリフトの前進・後退およびフォークの上昇・下降以外の動力を一切必要としないものである。
従って、フォークリフトやフォークローダーの小回りの利く運動性能や強力な荷役運搬性能などの優れた機動性を活かして、簡便・迅速そして経済的に除雪作業を行なうことができるものである。
【図面の簡単な説明】
【００２０】
【図１】  （ａ）（ｂ）は本考案の実施例を示す概略斜視図である。
【図２】  （ａ）（ｂ）（ｃ）は図１に示す実施例についての使用状態を示す概略側面図である。
【図３】  （ａ）（ａ′）（ｂ）（ｂ′）は図１に示す実施例についての他の使用状態を示す概略側面図である。
【図４】  （ａ）（ｂ）（ｃ）（ｄ）は図１に示す実施例についての別の使用状態を示す概略側面図である。
【図５】  本考案の他の実施例を示す概略断面図である。
【符号の説明】
１、８    フォークリフト用除雪バケット
２        底板
３        側板
４        背板
５        樋状ケース
５ａ      船底部
６        孔部
７        紐部材（金属チェーン）
９        コイルスプリング
１０      滑り板
Ｆ        フォークリフト
Ｆ１      フォーク
Ｆ２      タワー部材
【図１】
0003134182.tif 000003
【図２】
0003134182.tif 000004
【図３】
0003134182.tif 000005
【図４】
0003134182.tif 000006
【図５】
0003134182.tif 000007